(57)【要約】  ＴＦＴ基板上に配列された複数の画素の画素電位を精度良く保持することができるＴＦＴ基板を提供する。本発明のＴＦＴ基板は、ゲートバスライン（Ｇ２、Ｇ３）と、ゲートバスライン（Ｇ２、Ｇ３）と同一配線層から構成された補助容量バスライン（ＣｓＹＨ３、ＣｓＹＬ２）と、ゲートバスライン（Ｇ２、Ｇ３）と同一配線層から構成され、第１の副画素（ＳＰ２１）の補助容量（２２）を形成する補助容量バスライン（ＣｓＸＨ１）と、ゲートバスライン（Ｇ２、Ｇ３）と同一配線層から構成され、第２の副画素（ＳＰ２２）の補助容量（２５）を形成する補助容量バスライン（ＣｓＸＬ２）とを備えている。補助容量バスライン（ＣｓＹＨ３）と補助容量バスライン（ＣｓＸＨ１）、及び、補助容量バスライン（ＣｓＹＬ２）と補助容量バスライン（ＣｓＸＬ２）は、それぞれ、ゲートバスライン（Ｇ２、Ｇ３）とは異なる配線層から構成された接続配線部を介して接続されている。
2010109558.tif 000002
【特許請求の範囲】
【請求項１】
第１の副画素及び当該第１の副画素に隣接する第２の副画素からなる、複数の画素がマトリクス状に配列されたアクティブマトリクス型のＴＦＴ基板であって、
前記第１の副画素及び前記第２の副画素が隣接する隣接方向に沿って延在する第１及び第２のゲートバスラインと、
前記第１及び第２のゲートバスラインと同一の配線層から構成され、且つ、前記隣接方向に沿って延在する第１及び第２の補助容量バスラインと、
前記第１及び第２のゲートバスラインと同一の配線層から構成され、且つ、前記第１の副画素に近接し、前記第１の副画素の副画素電極との間において前記第１の副画素の補助容量を形成する第３の補助容量バスラインと、
前記第１及び第２のゲートバスラインと同一の配線層から構成され、且つ、前記第２の副画素に近接し、前記第２の副画素の副画素電極との間において前記第２の副画素の補助容量を形成する第４の補助容量バスラインと
を備え、
前記第１の補助容量バスラインと前記第１の副画素は、前記第１のゲートバスラインを挟むようにして配置され、前記第２の補助容量バスラインと前記第２の副画素は、前記第２のゲートバスラインを挟むようにして配置されており、
前記第１の補助容量バスラインと前記第２の補助容量バスラインとは、互いに異なる電圧が印加されており、
前記第１の補助容量バスラインと前記第３の補助容量バスラインとの間を接続する、前記第１及び第２のゲートバスラインとは異なる配線層から構成された第１の接続配線部と、
前記第２の補助容量バスラインと前記第４の補助容量バスラインとの間を接続する、前記第１及び第２のゲートバスラインとは異なる配線層から構成された第２の接続配線部と
をさらに備えていることを特徴とするＴＦＴ基板。
【請求項２】
前記第１の接続配線部は、前記第１の副画素の副画素電極と同一の配線層から構成され、前記第２の接続配線部は、前記第２の副画素の副画素電極と同一の配線層から構成されていることを特徴とする請求項１に記載のＴＦＴ基板。
【請求項３】
矩形形状を持つ前記第１の副画素は、前記第３の補助容量バスラインに沿っている、第１辺及び当該第１辺の反対側に位置する第２辺を有し、
前記第３の補助容量バスラインは、前記第１の副画素の第１辺に近接する第１の分岐ライン部分と、前記第１の副画素の第２辺に近接する第２の分岐ライン部分と、を含んでいることを特徴とする請求項１または２に記載のＴＦＴ基板。
【請求項４】
前記第１の副画素は、前記第１辺と前記第２辺と間に配置された前記第１のゲートバスライン側の第３辺をさらに有し、
前記第３の補助容量バスラインは、前記第１の副画素の第３辺に近接する第３の分岐ライン部分をさらに含んでいることを特徴とする請求項３に記載のＴＦＴ基板。
【請求項５】
前記第１及び第２のゲートバスラインと交差するソースバスラインをさらに備え、
前記第１の副画素及び前記第２の副画素は、前記ソースバスラインを挟むようにして対向するように配置されていることを特徴とする請求項１〜４のいずれか１項に記載のＴＦＴ基板。
【請求項６】
前記第１の接続配線部は、前記第１の副画素の副画素電極と同一の配線層及び前記ソースバスラインと同一の配線層から構成され、前記第２の接続配線部は、前記第２の副画素の副画素電極と同一の配線層及び前記ソースバスラインと同一の配線層から構成されていることを特徴とする請求項５に記載のＴＦＴ基板。
【請求項７】
前記第１及び第２のゲートバスラインと交差する２つのソースバスラインをさらに備え、
前記第１の副画素及び前記第２の副画素は、隣接する前記２つのソースバスライン間に配置され、且つ、隣接する前記２つのソースバスラインのいずれか一方と接続されていることを特徴とする請求項１〜４のいずれか１項に記載のＴＦＴ基板。
【請求項８】
前記複数の画素の配列は、ストライプ配列であることを特徴とする請求項１〜７のいずれか１項に記載のＴＦＴ基板。
【請求項９】
前記複数の画素の配列は、デルタ配列であることを特徴とする請求項１〜７のいずれか１項に記載のＴＦＴ基板。
【請求項１０】
請求項１〜９のいずれか１項に記載のＴＦＴ基板と、
前記ＴＦＴ基板を用いて画像を表示するための画像表示処理を制御するための制御回路と
を備えていることを特徴とする液晶表示装置。
【発明の詳細な説明】
【技術分野】
【０００１】
本発明は、薄膜トランジスタを用いたアクティブマトリクス型のＴＦＴ基板及びこれを用いた液晶表示装置に関する。
【背景技術】
【０００２】
γ特性の視角依存性を改善した液晶表示装置として、マルチ画素駆動方式の液晶表示装置がある。マルチ画素駆動においては、輝度の異なる２つ以上の副画素によって１つの画素を構成することにより、視野角特性すなわちγ特性の視角依存性を改善する（例えば、特許文献１を参照）。【０００３】
図９に、従来のマルチ画素駆動方式の液晶表示装置が備える画素の構成例を示す。図９に示すように、１つの画素Ｐ１は２つの副画素ＳＰ１、ＳＰ２に分割されている。副画素ＳＰ１は、薄膜トランジスタ（以下、「ＴＦＴ」と呼ぶ。）５１と、補助容量５２と、副画素電極５３と、を有している。同様に、副画素ＳＰ２は、ＴＦＴ６１と、補助容量６２と、副画素電極６３と、を有している。【０００４】
ＴＦＴ５１及びＴＦＴ６１の各々のゲ−ト電極は、ゲートバスラインＧ１に接続されており、各々のソース電極は、ソースバスラインＳ１に接続されている。【０００５】
補助容量５２は、副画素電極５３と補助容量バスラインＣｓ１との間で形成されている。補助容量６２は、副画素電極６３と補助容量バスラインＣｓ２との間で形成されている。【０００６】
補助容量バスラインＣｓ１とゲートバスラインＧ１は、副画素ＳＰ１を挟むようにして互いに平行となるように配置されている。補助容量バスラインＣｓ２とゲートバスラインＧ１は、副画素ＳＰ２を挟むようにして互いに平行となるように配置されている。【０００７】
また、画素Ｐ１の補助容量バスラインＣｓ１は、この補助容量バスラインＣｓ１を挟んで画素Ｐ１に隣接する他の画素（図示省略）の副画素が有する補助容量を形成するための補助容量バスラインを兼ねている。同様に、画素Ｐ１の補助容量バスラインＣｓ２は、この補助容量バスラインＣｓ２を挟んで画素Ｐ１に隣接する他の画素（図示省略）の副画素が有する補助容量を形成するための補助容量バスラインを兼ねている。【０００８】
図１０を用いて、マルチ画素駆動方式の表示パネルにおける補助容量バスラインＣｓ１、Ｃｓ２（以下、Ｃｓ１、Ｃｓ２を総称して「Ｃｓ」と呼ぶ場合もある。）の駆動方法について説明する。【０００９】
図１０に示すように、表示領域であるアクティブエリアＡＡに交互に配置された補助容量バスラインＣｓは、アクティブエリアＡＡに隣接する領域に配置されたＣｓ幹配線ｂｂに接続されている。Ｃｓ幹配線ｂｂは、複数本で１組のＣｓ幹配線群ＢＢ１及びＣｓ幹配線群ＢＢ２を構成している。Ｃｓ幹配線群ＢＢ１は、アクティブエリアＡＡに対して補助容量バスラインＣｓが延びる一方の方向の所定側となる、アクティブエリアＡＡの一端側に隣接する領域に設けられている。また、Ｃｓ幹配線群ＢＢ２は、アクティブエリアＡＡに対して補助容量バスラインＣｓが延びる他方の方向の所定側となる、アクティブエリアＡＡの他端側に隣接する領域に設けられている。【００１０】
例えば、Ｃｓ幹配線群ＢＢ１のみが設けられている場合には、補助容量バスラインＣｓの一端がＣｓ幹配線群ＢＢ１を構成するＣｓ幹配線ｂｂに接続されている。一方、Ｃｓ幹配線群ＢＢ１及びＣｓ幹配線群ＢＢ２の両方が設けられている場合には、補助容量バスラインＣｓの一端がＣｓ幹配線群ＢＢ１を構成するＣｓ幹配線ｂｂに接続されており、補助容量バスラインＣｓの他端がＣｓ幹配線群ＢＢ２を構成するＣｓ幹配線ｂｂに接続されている。Ｃｓ幹配線ｂｂは、補助容量バスラインＣｓの延びる方向に直交する方向、すなわち図９のソースバスラインＳ１の延びる方向に延びている。【００１１】
図１０では、１２本のＣｓ幹配線ｂｂからなるＣｓ幹配線群ＢＢ１、および、１２本のＣｓ幹配線ｂｂからなるＣｓ幹配線群ＢＢ２が設けられている。そして、各補助容量バスラインＣｓは、各Ｃｓ幹配線群ＢＢ１およびＢＢ２の各々のいずれか１本のＣｓ幹配線ｂｂに接続されている。連続して配置された１２本の補助容量バスラインＣｓは、各Ｃｓ幹配線群ＢＢ１、ＢＢ２のうちの互いに異なるＣｓ幹配線ｂｂに接続されている。【００１２】
一方、Ｃｓ幹配線群ＢＢ１のみが設けられている場合には、連続して配置された１２本の補助容量バスラインＣｓは、Ｃｓ幹配線群ＢＢ１のうちの互いに異なるＣｓ幹配線ｂｂに接続されることになる。【００１３】
このようなマルチ画素駆動方式では、互いに異なる補助容量電圧Ｖｃｓを補助容量バスラインＣｓ１及び補助容量バスラインＣｓ２の各々に印加することにより、同一の画素Ｐ１を構成する副画素ＳＰ１及びＳＰ２の各々の輝度を異なるものとし、そうすることにより、画素Ｐ１全体のγ特性を改善している。【００１４】
上記の補助容量電圧Ｖｃｓは、Ｃｓ幹配線ｂｂを介して補助容量バスラインＣｓ１及び補助容量バスラインＣｓ２に供給されている。そして、各Ｃｓ幹配線群ＢＢ１、ＢＢ２の異なるＣｓ幹配線ｂｂには、異なる補助容量電圧Ｖｃｓが印加されている。このため、Ｃｓ幹配線群ＢＢ１、ＢＢ２の各々には、Ｃｓ幹配線ｂｂの本数分の異なる補助容量電圧ＶｃｓがＣｓドライバ（図示省略）から供給されている。【００１５】
図１０に示したように、アクティブエリアＡＡの両側にＣｓ幹配線群ＢＢ１、ＢＢ２が配置された場合では、同一の補助容量バスラインＣｓに接続された、Ｃｓ幹配線群ＢＢ１、ＢＢ２の各々のＣｓ幹配線ｂｂには同一の補助容量電圧Ｖｃｓが印加されている。【００１６】
このようにして、アクティブエリアＡＡの両側から補助容量電圧Ｖｃｓを供給している。このため、大きなサイズの液晶画面であっても、補助容量電圧Ｖｃｓが配線遅延によって、同一の補助容量バスラインＣｓにおけるアクティブエリアＡＡの異なる場所間で、補助容量電圧Ｖｃｓの波形が異なることを抑制することができる。【００１７】
従来、このような補助容量バスラインＣｓをアクティブエリアＡＡ内で網目状に配置する構成が提案されている（例えば、特許文献２〜６を参照）。【００１８】
例えば、特許文献２に開示された従来の液晶表示装置では、図１０に示した補助容量バスラインＣｓに相当する蓄積容量バスラインを網目状に形成することで、電源側から見た蓄積容量バスラインのインピーダンスを極めて小さくすることができる。このため、蓄積容量バスラインの時定数を小さくすることができるので、表示品位を低下することなく、液晶表示装置の大型化、高精細化を実現している。【００１９】
また、特許文献３に開示された従来の液晶表示素子でも、図１０に示した補助容量バスラインＣｓに相当する補助容量配線ユニットを網目状に形成することで、補助容量ユニットの電気抵抗値を下げることができる。さらに、補助容量配線ユニットに断線が発生した場合でも、補助容量配線全体が網目状に形成されているため、断線の悪影響を最小限に抑えることができる。
【先行技術文献】
【特許文献】
【００２０】
【特許文献１】国際公開特許公報「第２００６／０９８４４９号パンフレット（２００６年９月２１日公開）」
【特許文献２】日本国公開特許公報「特開２００１−２８１６９０号公報（２００１年１０月１０日公開）」
【特許文献３】日本国公開特許公報「特開平９−１６００７５号公報（１９９７年６月２０日公開）」
【特許文献４】日本国公開特許公報「特開平３−７２３２１号公報（１９９１年３月２７日公開）」
【特許文献５】日本国公開特許公報「特開昭６２−２６５６８８号公報（１９８７年１１月１８日公開）」
【特許文献６】日本国公開特許公報「特開２００１−１０９０１８号公報（２００１年４月２０日公開）」
【発明の概要】
【発明が解決しようとする課題】
【００２１】
ところで、ＴＶ用途の液晶表示装置では、倍速駆動や大型・高精細化等の要求から、画素電位を保持するための上記の補助容量バスラインＣｓの低抵抗化が求められている。【００２２】
特に、上述したような従来のマルチ画素駆動方式では、例えば図９を用いて説明したように、互いに異なる補助容量電圧Ｖｃｓを補助容量バスラインＣｓ１及び補助容量バスラインＣｓ２の各々に印加しなければならない。その結果、補助容量バスラインＣｓ１及び補助容量バスラインＣｓ２の両方の低抵抗化が必要である。【００２３】
しかしながら、このような補助容量バスラインＣｓ１及び補助容量バスラインＣｓ２の両方の抵抗を下げようとした場合、最低２組必要な補助容量バスラインを２×ｎ（ｎ：自然数）倍の組としなければならない。その結果、図１０に示したＣｓ幹配線群ＢＢ１、ＢＢ２も低抵抗化が必要となり、このため、それらの配線幅が増大して、Ｃｓ幹配線群ＢＢ１、ＢＢ２が占める領域の増大化を招いてしまう。【００２４】
そこで、上記の特許文献２及び３に開示された、補助容量バスラインＣｓを網目状に形成する構成を採用することが有効と期待できる。【００２５】
しかしながら、互いに異なる補助容量電圧Ｖｃｓが印加される補助容量バスラインＣｓ１及び補助容量バスラインＣｓ２に上記の特許文献２及び３に開示された構成を採用し、各々を単純に接続した場合、それらを接続する配線の経路が非常に複雑となってしまう。【００２６】
このため、図９に示した副画素電極５３及び副画素電極６３と、補助容量バスラインＣｓ１及び補助容量バスラインＣｓ２との間で余分な容量が形成されてしまい、その結果、各画素Ｐ１の画素電位を精度良く保持することができないといった課題があった。【００２７】
上記課題に鑑み、本発明の目的は、ＴＦＴ基板上に配列された複数の画素の画素電位を精度良く保持することができるＴＦＴ基板及びこれを用いた液晶表示装置を提供することである。
【課題を解決するための手段】
【００２８】
上記目的を達成するために、本発明におけるＴＦＴ基板は、第１の副画素及び当該第１の副画素に隣接する第２の副画素からなる、複数の画素がマトリクス状に配列されたアクティブマトリクス型のＴＦＴ基板であって、前記第１の副画素及び前記第２の副画素が隣接する隣接方向に沿って延在する第１及び第２のゲートバスラインと、前記第１及び第２のゲートバスラインと同一の配線層から構成され、且つ、前記隣接方向に沿って延在する第１及び第２の補助容量バスラインと、前記第１及び第２のゲートバスラインと同一の配線層から構成され、且つ、前記第１の副画素に近接し、前記第１の副画素の副画素電極との間において前記第１の副画素の補助容量を形成する第３の補助容量バスラインと、前記第１及び第２のゲートバスラインと同一の配線層から構成され、且つ、前記第２の副画素に近接し、前記第２の副画素の副画素電極との間において前記第２の副画素の補助容量を形成する第４の補助容量バスラインとを備え、前記第１の補助容量バスラインと前記第１の副画素は、前記第１のゲートバスラインを挟むようにして配置され、前記第２の補助容量バスラインと前記第２の副画素は、前記第２のゲートバスラインを挟むようにして配置されており、前記第１の補助容量バスラインと前記第２の補助容量バスラインとは、互いに異なる電圧が印加されており、前記第１の補助容量バスラインと前記第３の補助容量バスラインとの間を接続する、前記第１及び第２のゲートバスラインとは異なる配線層から構成された第１の接続配線部と、前記第２の補助容量バスラインと前記第４の補助容量バスラインとの間を接続する、前記第１及び第２のゲートバスラインとは異なる配線層から構成された第２の接続配線部とをさらに備えている。【００２９】
上記のＴＦＴ基板では、第１の副画素は、自身に近接する第３の補助容量バスラインとの間において補助容量を形成する。そして、第３の補助容量バスラインは、第１及び第２のゲートバスラインとは異なる配線層から構成された第１の接続配線部を介して、第１の補助容量バスラインと接続されている。【００３０】
また、第２の副画素は、自身に近接する第４の補助容量バスラインとの間において補助容量を形成する。そして、第４の補助容量バスラインは、第１及び第２のゲートバスラインとは異なる配線層から構成された第２の接続配線部を介して、第２の補助容量バスラインと接続されている。【００３１】
このため、第１の補助容量バスライン及び第３の補助容量バスラインをＴＦＴ基板上に網目状に形成することができる。また、第２の補助容量バスライン及び第４の補助容量バスラインをＴＦＴ基板上に網目状に形成することができる。【００３２】
したがって、第１の補助容量バスライン及び第３の補助容量バスラインを用いて同一の補助容量電圧をＴＦＴ基板上の各画素に均一に供給することができ、また、第２の補助容量バスライン及び第４の補助容量バスラインを用いて、第１の補助容量バスラインに印加される補助容量電圧とは異なる同一の補助容量電圧をＴＦＴ基板上の各画素に均一に供給することができる。そうすることにより、２つの異なる電圧を用いるマルチ画像駆動における各画素の画素電位を精度良く保持することができる。【００３３】
本発明における液晶表示装置は、上記のＴＦＴ基板と、前記ＴＦＴ基板を用いて画像を表示するための画像表示処理を制御するための制御回路とを備えている。【００３４】
上記の液晶表示装置では、第１の副画素は、自身に近接する第２の補助容量バスライとの間において補助容量を形成する。そして、第２の補助容量バスラインは、ゲートバスラインとは異なる配線層から構成された接続配線部を介して、第１の補助容量バスラインと接続されている。【００３５】
このため、第１の補助容量バスライン及び第２の補助容量バスラインをＴＦＴ基板上に網目状に形成することができる。したがって、これら第１の補助容量バスライン及び第２の補助容量バスラインを用いて同一の補助容量電圧をＴＦＴ基板上の各画素に均一に供給することができるので、各画素の画素電位を精度良く保持することができる。
【発明の効果】
【００３６】
本発明のＴＦＴ基板は、以上のように、前記第１の副画素及び前記第２の副画素が隣接する隣接方向に沿って延在する第１及び第２のゲートバスラインと、前記第１及び第２のゲートバスラインと同一の配線層から構成され、且つ、前記隣接方向に沿って延在する第１及び第２の補助容量バスラインと、前記第１及び第２のゲートバスラインと同一の配線層から構成され、且つ、前記第１の副画素に近接し、前記第１の副画素の副画素電極との間において前記第１の副画素の補助容量を形成する第３の補助容量バスラインと、前記第１及び第２のゲートバスラインと同一の配線層から構成され、且つ、前記第２の副画素に近接し、前記第２の副画素の副画素電極との間において前記第２の副画素の補助容量を形成する第４の補助容量バスラインとを備え、前記第１の補助容量バスラインと前記第１の副画素は、前記第１のゲートバスラインを挟むようにして配置され、前記第２の補助容量バスラインと前記第２の副画素は、前記第２のゲートバスラインを挟むようにして配置されており、前記第１の補助容量バスラインと前記第２の補助容量バスラインとは、互いに異なる電圧が印加されており、前記第１の補助容量バスラインと前記第３の補助容量バスラインとの間を接続する、前記第１及び第２のゲートバスラインとは異なる配線層から構成された第１の接続配線部と、前記第２の補助容量バスラインと前記第４の補助容量バスラインとの間を接続する、前記第１及び第２のゲートバスラインとは異なる配線層から構成された第２の接続配線部とをさらに備えているものである。【００３７】
それゆえ、ＴＦＴ基板上に配列された複数の画素の画素電位を精度良く保持することができるという効果を奏する。
【図面の簡単な説明】
【００３８】
【図１】本発明の実施の形態１における液晶表示装置のアクティブエリア上に配置された複数の画素の配置構成を示す回路図である。
【図２】図１のＡ部をＩ−Ｉ方向から見た断面図である。
【図３】本発明の実施の形態１における液晶表示装置の構成を示すブロック図である。
【図４】本発明の実施の形態２における液晶表示装置のアクティブエリア上に配置された複数の画素の配置構成を示す回路図である。
【図５】本発明の実施の形態３における液晶表示装置のアクティブエリア上に配置された複数の画素の配置構成を示す回路図である。
【図６】本発明の実施の形態４における液晶表示装置のアクティブエリア上に配置された複数の画素の配置構成を示す回路図である。
【図７】図６の副画素電極形状の変形例を説明するための説明図である。
【図８】本発明の実施の形態５における液晶表示装置のアクティブエリア上に配置された複数の画素の配置構成を示す回路図である。
【図９】従来のマルチ画素駆動方式の液晶表示装置が備える画素の構成例を示す図である。
【図１０】補助容量バスライン及びＣｓ幹配線の配置を示す平面図である。
【発明を実施するための形態】
【００３９】
以下図面を参照して、本発明の実施の形態を説明する。以下の図面の記載において、同一または類似の部分には同一または類似の符号を付している。
【００４０】
（実施の形態１）
図３は、本発明の実施の形態１における液晶表示装置１の構成を示すブロック図である。本実施の形態における液晶表示装置１は、図３に示すように、アクティブマトリクス型の表示部（ＴＦＴ基板）２と、ソースドライバ３と、ゲートドライバ（ＧＤ）４と、表示制御回路５と、Ｃｓ制御回路６及び７と、を備えている。
【００４１】
なお、これら構成要件は、１つのパネル上に実装されていてもよいし、ソースドライバ３と、ゲートドライバ４と、表示制御回路５と、Ｃｓ制御回路６及び７との一部または全部がフレキシブルプリント基板等の外部基板に搭載されて、表示部２を備えたパネルに接続された構成でも構わない。要は、表示部２と、ソースドライバ３と、ゲートドライバ４と、表示制御回路５と、Ｃｓ制御回路６及び７は、任意に配置可能である。
【００４２】
表示部２は、複数の画素がマトリクス状に配置された領域であるアクティブエリアＡＡと、複数のゲートバスラインと、複数のソースバスラインと、複数の補助容量バスラインと、２つのＣｓ幹配線群ＢＢ１、ＢＢ２と、を有している。
【００４３】
なお、図３では、図面の見易さのため、アクティブエリアＡＡ上に配置された複数の画素に含まれる後述の画素Ｐ２、複数のゲートラインに含まれるＧ３、複数のソースバスラインに含まれるＳ１、及び、複数の補助容量バスラインに含まれる補助容量バスラインＣｓＹＨ３、ＣｓＹＬ３、ＣｓＸＨ１、ＣｓＸＬ２のそれぞれのみが記載されている。
【００４４】
画素Ｐ２は、副画素ＳＰ２１及び副画素ＳＰ２２から構成されている。そして、副画素ＳＰ２１及び副画素ＳＰ２２に含まれる各ＴＦＴ（図示省略）のゲート電極がゲートバスラインＧ３に接続されており、各々のソース電極がソースバスラインＳ１に接続されている。そして、ゲートバスラインとソースバスライトとは、互いに交差するように配置されている。
【００４５】
Ｃｓ幹配線群ＢＢ１は、アクティブエリアＡＡに隣接する領域のうち、補助容量バスラインが延びる方向のうちの一方側に隣接する領域に設けられている。また、Ｃｓ幹配線群ＢＢ２は、アクティブエリアＡＡに隣接する領域のうち、補助容量バスラインの延びる方向のうちの他方側に隣接する領域に設けられている。そして、補助容量バスラインは、Ｃｓ幹配線群ＢＢ１及びＣｓ幹配線群ＢＢ２の各々に接続されている。
【００４６】
表示制御回路５は、ソースドライバ３、ゲートドライバ４、Ｃｓ制御回路６及びＣｓ制御回路７を制御する。例えば、表示制御回路５は、チューナ等の外部の信号源から、表示すべき画像を表わすデジタルビデオ信号Ｄｖと、そのデジタルビデオ信号Ｄｖに対応する水平同期信号ＨＳＹ及び垂直同期信号ＶＳＹと、表示動作を制御するための制御信号Ｄｃとを受け取る。そして、表示制御回路５は、受け取ったこれらの信号Ｄｖ、ＨＳＹ、ＶＳＹ、Ｄｃを用いて、そのデジタルビデオ信号Ｄｖの表わす画像を表示部２に表示させるための複数の信号を生成し、出力する。具体的には、表示制御回路５は、その複数の信号として、データスタートパルス信号ＳＳＰと、データクロック信号ＳＣＫと、ラッチストローブ信号ＬＳと、表示すべき画像を表すデジタル画像信号ＤＡ（ビデオ信号Ｄｖに対応する信号）と、ゲートスタートパルス信号ＧＳＰと、ゲートクロック信号ＧＣＫと、ゲートドライバ出力制御信号（走査信号出力制御信号）ＧＯＥとを生成する。
【００４７】
より詳しくは、表示制御回路５は、ビデオ信号Ｄｖを内部メモリで必要に応じてタイミング調整等を行った後に、デジタル画像信号ＤＡとして出力し、そのデジタル画像信号ＤＡの表わす画像の各画素に対応するパルスからなる信号としてデータクロック信号ＳＣＫを生成する。
【００４８】
そして、表示制御回路５は、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）毎に所定期間だけＨレベルとなる信号としてゲートスタートパルス信号ＧＳＰを生成する。
【００４９】
そして、表示制御回路５は、水平同期信号ＨＳＹに基づきゲートクロック信号ＧＣＫを生成し、水平同期信号ＨＳＹ及び制御信号Ｄｃに基づきラッチストローブ信号ＬＳ、ならびにゲートドライバ出力制御信号ＧＯＥを生成する。
【００５０】
上記のようにして表示制御回路５において生成された信号のうち、デジタル画像信号ＤＡ、ラッチストローブ信号ＬＳ、信号電位（データ信号電位）の極性を制御する信号ＰＯＬ、データスタートパルス信号ＳＳＰ、及びデータクロック信号ＳＣＫは、ソースドライバ３に入力され、ゲートスタートパルス信号ＧＳＰとゲートクロック信号ＧＣＫとゲートドライバ出力制御信号ＧＯＥとは、ゲートドライバ４に入力される。
【００５１】
ソースドライバ３は、デジタル画像信号ＤＡ、データクロック信号ＳＣＫ、ラッチストローブ信号ＬＳ、データスタートパルス信号ＳＳＰ、及び、極性反転信号ＰＯＬに基づき、データ信号を１水平走査期間毎に順次生成し、これらのデータ信号をソースバスラインに出力する。これらデータ信号は、デジタル画像信号ＤＡの表わす画像の各走査信号線に接続された各画素の画素値に相当するアナログ電位である。
【００５２】
ゲートドライバ４は、ゲートスタートパルス信号ＧＳＰと、ゲートクロック信号ＧＣＫと、ゲートドライバ出力制御信号ＧＯＥとに基づき、走査信号を生成し、これらをゲートバスラインに出力し、これによってゲートバスラインが選択的に駆動される。
【００５３】
上記のようにソースドライバ３及びゲートドライバ４により表示部２のソースバスライン及びゲートバスラインが駆動されることで、選択されたゲートバスラインに接続されたＴＦＴを介して、ソースバスラインから副画素電極に信号電位が書き込まれる。
【００５４】
これにより各画素が備える副画素の液晶層にデジタル画像信号ＤＡに応じた電圧が印加され、その電圧印加によってバックライトからの光の透過量が制御され、デジタルビデオ信号Ｄｖの示す画像が画素に表示される。
【００５５】
Ｃｓ制御回路６及び７は、表示制御回路５から出力されるゲートスタートパルス信号ＧＳＰ、ゲートクロック信号ＧＣＫに基づいて、補助容量バスラインの電位を制御するための補助容量電圧Ｖｃｓの位相及び周期等を制御する回路である。Ｃｓ制御回路６は補助容量電圧ＶｃｓをＣｓ幹配線群ＢＢ１に出力し、Ｃｓ制御回路７は補助容量電圧ＶｃｓをＣｓ幹配線群ＢＢ２に出力する。
【００５６】
次に、本発明の実施の形態１における画素の配置構成について説明する。図１は、図３に示した液晶表示装置１のアクティブエリアＡＡ上に配置された複数の画素の配置構成を示す回路図である。
【００５７】
図１に示すように、本実施の形態における液晶表示装置１のアクティブエリアＡＡにおいて、画素Ｐ１及び画素Ｐ２が配置されている。画素Ｐ１は、副画素ＳＰ１１（第１の副画素）及び副画素ＳＰ１２（第２の副画素）から構成されており、画素Ｐ２は、副画素ＳＰ２１（第１の副画素）及び副画素ＳＰ２２（第２の副画素）から構成されている。
【００５８】
まず、画素Ｐ１について説明する。
【００５９】
副画素ＳＰ１１は、ＴＦＴ（薄膜トランジスタ）１１と、補助容量１２と、副画素電極１３と、を有している。同様に、副画素ＳＰ１２は、ＴＦＴ１４と、補助容量１５と、副画素電極１６と、を有している。
【００６０】
副画素ＳＰ１１のＴＦＴ１１のゲ−ト電極は、ゲートバスラインＧ２（第２のゲートバスライン）に接続されており、そのソース電極は、ソースバスラインＳ１に接続されている。同様に、副画素ＳＰ１２のＴＦＴ１４のゲ−ト電極は、ゲートバスラインＧ２に接続されており、そのソース電極は、ソースバスラインＳ１に接続されている。
【００６１】
副画素ＳＰ１１の補助容量１２は、副画素電極１３と補助容量バスラインＣｓＸＨ１（第３の補助容量バスライン）との間で形成されている。副画素ＳＰ１２の補助容量１５は、副画素電極１６と補助容量バスラインＣｓＸＬ２（第４の補助容量バスライン）との間で形成されている。
【００６２】
そして、副画素ＳＰ１１及び副画素ＳＰ１２は共に、補助容量バスラインＣｓＸＨ１及び補助容量バスラインＣｓＸＬ２の間に挟まれるように隣接されている。さらに、副画素ＳＰ１１は、補助容量バスラインＣｓＸＨ１に近接して配置されている一方、副画素ＳＰ１２は、補助容量バスラインＣｓＸＬ２に近接して配置されている。
【００６３】
次に、画素Ｐ２について説明する。
【００６４】
副画素ＳＰ２１は、ＴＦＴ２１と、補助容量２２と、副画素電極２３と、を有している。同様に、副画素ＳＰ２２は、ＴＦＴ２４と、補助容量２５と、副画素電極２６と、を有している。
【００６５】
副画素ＳＰ２１のＴＦＴ２１のゲ−ト電極は、ゲートバスラインＧ３（第１のゲートバスライン）に接続されており、そのソース電極は、ソースバスラインＳ１に接続されている。同様に、副画素ＳＰ２２のＴＦＴ２４のゲ−ト電極は、ゲートバスラインＧ３に接続されており、そのソース電極は、ソースバスラインＳ１に接続されている。
【００６６】
副画素ＳＰ２１の補助容量２２は、副画素電極２３と補助容量バスラインＣｓＸＨ１との間で形成されている。副画素ＳＰ２２の補助容量２５は、副画素電極２６と補助容量バスラインＣｓＸＬ２との間で形成されている。
【００６７】
そして、副画素ＳＰ２１及び副画素ＳＰ２２は共に、補助容量バスラインＣｓＸＨ１及び補助容量バスラインＣｓＸＬ２の間に挟まれるように隣接されている。さらに、副画素ＳＰ１１は、補助容量バスラインＣｓＸＨ１に近接して配置されている一方、副画素ＳＰ１２は、補助容量バスラインＣｓＸＬ２に近接して配置されている。
【００６８】
補助容量バスラインＣｓＸＨ１及びＣｓＸＬ２、並びに、補助容量バスラインＣｓＸＨ１に近接する補助容量バスラインＣｓＸＬ１及び補助容量バスラインＣｓＸＬ２に近接する補助容量バスラインＣｓＸＨ２は、ソースバスラインＳ１と平行となるように配置されている。
【００６９】
一方、補助容量バスラインＣｓＹＨ１、ＣｓＹＨ２、ＣｓＹＨ３（第１の補助容量バスライン）と、補助容量バスラインＣｓＹＬ１、ＣｓＹＬ２、ＣｓＹＬ３（第２の補助容量バスライン）は、ゲートバスラインＧ１、Ｇ２及びＧ３と平行となるように配置されている。ゲートバスラインＧ１、Ｇ２及びＧ３は互いに平行となるように配置されている。
【００７０】
さらに、ゲートバスラインＧ１、Ｇ２及びＧ３は、副画素ＳＰ１１と副画素ＳＰ１２とが隣接する方向、並びに、副画素ＳＰ２１と副画素ＳＰ２２とが隣接する方向に沿って延在している。同様に、補助容量バスラインＣｓＹＨ１、ＣｓＹＨ２、ＣｓＹＨ３、ＣｓＹＬ１、ＣｓＹＬ２、ＣｓＹＬ３も、副画素ＳＰ１１と副画素ＳＰ１２とが隣接する方向、並びに、副画素ＳＰ２１と副画素ＳＰ２２とが隣接する方向に沿って延在している。
【００７１】
そして、これら補助容量バスラインＣｓＹＬ１、ＣｓＹＨ１、ＣｓＹＬ２、ＣｓＹＨ２、ＣｓＹＬ３及びＣｓＹＨ３の各々の両端は、図３に示した２つのＣｓ幹配線群ＢＢ１、ＢＢ２の各々のＣｓ幹配線ｂｂに接続されている。
【００７２】
そして、補助容量バスラインＣｓＸＬ１は、補助容量バスラインＣｓＹＬ１、ＣｓＹＬ２及びＣｓＹＬ３の各々と接続している。補助容量バスラインＣｓＸＨ１は、補助容量バスラインＣｓＹＨ１、ＣｓＹＨ２及びＣｓＹＨ３の各々と接続している。補助容量バスラインＣｓＸＬ２は、補助容量バスラインＣｓＹＬ１、ＣｓＹＬ２及びＣｓＹＬ３の各々と接続している。補助容量バスラインＣｓＸＨ２は、補助容量バスラインＣｓＹＨ１、ＣｓＹＨ２及びＣｓＹＨ３の各々と接続している。
【００７３】
このようにして、これら補助容量バスラインが接続されることにより、補助容量バスラインＣｓＸＬ１、ＣｓＸＬ２、ＣｓＹＬ１、ＣｓＹＬ２及びＣｓＹＬ３の各々には、同一の補助容量電圧Ｖｃｓが印加されることになる。また、補助容量バスラインＣｓＸＨ１、ＣｓＸＨ２、ＣｓＹＨ１、ＣｓＹＨ２及びＣｓＹＨ３の各々にも、同一の補助容量電圧Ｖｃｓが印加されることになる。すなわち、これら補助容量バスラインは、アクティブエリアＡＡ上において、網目状に配置されるように構成されている。
【００７４】
次に、このような補助容量バスラインの配置構成を行なうために必要となる、補助容量バスラインの接続構造について説明する。図２は、図１のＡ部をＩ−Ｉ方向から見た断面図である。以下、図１及び図２を用いて説明する。
【００７５】
図１において、補助容量バスラインＣｓＸＬ１、ＣｓＸＬ２、ＣｓＹＬ１、ＣｓＹＬ２、ＣｓＹＬ３、ＣｓＸＨ１、ＣｓＸＨ２、ＣｓＹＨ１、ＣｓＹＨ２及びＣｓＹＨ３と、ゲートバスラインＧ１、Ｇ２及びＧ３とは、同一の配線層から構成されるのが一般的である。
【００７６】
このため、例えば図１のＡ部においては、補助容量バスラインＣｓＹＨ３とＣｓＸＨ１との間に両者と同一の配線層からなるゲートバスラインＧ３が存在するため、従来のように単純に接続させることができない。
【００７７】
そこで、本実施の形態では、図１のＡ部においては、補助容量バスラインＣｓＸＨ１とＣｓＹＨ３との間の接続を、ゲートバスラインＧ３、補助容量バスラインＣｓＸＨ１及びＣｓＹＨ３とは異なる配線層を用いて実現する。
【００７８】
すなわち、図１のＡ部においては、図２に示すように、基板１０１上に補助容量バスラインＣｓＹＬ３、ＣｓＸＨ１、ＣｓＹＨ３、及び、ゲートバスラインＧ３が配置されている。そして、これら補助容量バスラインＣｓＹＬ３、ＣｓＸＨ１、ＣｓＹＨ３、及び、ゲートバスラインＧ３の上部には層間絶縁膜１０２及び保護膜１０３が配置されている。
【００７９】
補助容量バスラインＣｓＸＨ１上の層間絶縁膜１０２及び保護膜１０３に開口部が設けられている。同様に、補助容量バスラインＣｓＹＨ３上の層間絶縁膜１０２及び保護膜１０３にも開口部が設けられている。
【００８０】
そして、補助容量バスラインＣｓＸＨ１及びＣｓＹＨ３とは異なる配線層（接続配線部）１０４をこれらの開口部を介して補助容量バスラインＣｓＸＨ１及びＣｓＹＨ３の両者を電気的に接続している。
【００８１】
このようにして、補助容量バスラインＣｓＸＨ１とＣｓＹＨ３との間を、ゲートバスラインＧ３がそれらの間に配置されているにもかかわらず、ゲートバスラインＧ３を飛び越えるようにして接続することができる。
【００８２】
なお、上記では、図１のＡ部における補助容量バスラインＣｓＸＨ１及びＣｓＹＨ３との間の接続構造を例として説明したが、このような接続構造は、図１における他の部分においても同様に実現可能である。すなわち、ゲートバスラインＧ１を飛び越えるようにして接続される補助容量バスラインＣｓＹＬ１とＣｓＸＬ１との間の接続構造、ゲートバスラインＧ２を飛び越えるようにして接続される補助容量バスラインＣｓＹＬ２とＣｓＸＬ１との間の接続構造、ゲートバスラインＧ３を飛び越えるようにして接続される補助容量バスラインＣｓＹＬ３とＣｓＸＬ１との間の接続構造、ゲートバスラインＧ１を飛び越えるようにして接続される補助容量バスラインＣｓＹＨ１とＣｓＸＨ１との間の接続構造、ゲートバスラインＧ２を飛び越えるようにして接続される補助容量バスラインＣｓＹＨ２とＣｓＸＨ１との間の接続構造、ゲートバスラインＧ１を飛び越えるようにして接続される補助容量バスラインＣｓＹＬ１とＣｓＸＬ２との間の接続構造、ゲートバスラインＧ２を飛び越えるようにして接続される補助容量バスラインＣｓＹＬ２とＣｓＸＬ２との間の接続構造、ゲートバスラインＧ３を飛び越えるようにして接続される補助容量バスラインＣｓＹＬ３とＣｓＸＬ２との間の接続構造、ゲートバスラインＧ１を飛び越えるようにして接続される補助容量バスラインＣｓＹＨ１とＣｓＸＨ２との間の接続構造、ゲートバスラインＧ２を飛び越えるようにして接続される補助容量バスラインＣｓＹＨ２とＣｓＸＨ２との間の接続構造、及び、ゲートバスラインＧ３を飛び越えるようにして接続される補助容量バスラインＣｓＹＨ３とＣｓＸＨ２との間の接続構造も、同様に実現することができる。
【００８３】
以上説明したように、本発明の実施の形態１における液晶表示装置１では、ゲートバスライン間に２つの補助容量バスラインを互いに対峙するように配置し、一方の補助容量バスラインを一方のゲートバスラインに近接させて配置し、他方の補助容量バスラインを他方のゲートバスラインに近接させて配置する。
【００８４】
２つの補助容量バスラインの各々は、各々が対応する副画素のエッジに沿って配置された補助容量バスラインと接続する。
【００８５】
そして、副画素のエッジに沿って配置された補助容量バスラインは、対峙するゲート配線を越えた先にある同じ電位の補助容量バスラインと接続している。
【００８６】
このため、互いに異なる２つの電位の補助容量バスラインを網目状に配置することができる。さらに、１つの画素を構成する２つの副画素の各副画素電極を、ソースバスラインを挟んで対称なＴＦＴにより駆動される２つの副画素電極とすることにより、不要な容量を形成することが防止される。
【００８７】
ここで、本実施の形態における液晶表示装置１においては、ゲートバスラインに平行であって、そのゲートバスラインと同一の配線層（ゲート層）で作る補助容量バスラインと、隣の同じ電位の補助容量バスラインとを、ゲート配線と垂直な方向で接続している。
【００８８】
このような接続構造は、層間絶縁膜及び保護膜に開口した開口部であるコンタクトホールを介して、層間絶縁膜及び保護膜上の配線層を用いて行なわれる。
【００８９】
したがって、本実施の形態における液晶表示装置１によれば、ソースバスラインを挟んで画素電極を分割する副画素構造、つまり、同じＴＦＴ（実質的に同じタイミングに駆動される２つ以上のＴＦＴを含む）によって駆動される構造とし、かつ、それぞれの副画素電極を異なる電位の補助容量バスラインとの間に容量を形成することができる。このため、本実施の形態における液晶表示装置１によれば、画素電極の電位を微妙に異ならせる容量分割方式の視野角制御が可能となる。
【００９０】
また、１つの画素領域内での均一な補助容量バスラインの抵抗分布及び、その補助容量バスラインを用いて画素−補助容量バスライン間の容量を形成するので、従来必要だった、異なる電位毎に加えて、同じ電位内の補助容量バスラインを複数のグループに分割する必要が無くなる。
【００９１】
この結果、画素領域外部に、従来であれば分割したグループ数だけ必要であったＣｓ幹配線群ＢＢ１、ＢＢ２が、最低２本、あるいは０本とすることが可能となり、画素領域外部のスペースを削減することができる。
【００９２】
（実施の形態２）
次に、本発明の実施の形態２について説明する。
【００９３】
図４は、本発明の実施の形態２における液晶表示装置のアクティブエリア上に配置された複数の画素の配置構成を示す回路図である。
【００９４】
上記の実施の形態１では、各副画素電極１３、１６、２３、２６に近接して配置された補助容量バスラインＣｓＸＨ１（第１の分岐ライン部分）、ＣｓＸＬ２（第１の分岐ライン部分）は共に、各副画素電極１３、１６、２３、２６の一辺のみに近接するものであった。
【００９５】
これに対し、本発明の実施の形態２における液晶表示装置では、補助容量バスラインが、矩形形状を持つ各副画素電極の両側、つまり２つの辺（第１辺、第２辺）に近接して配置されている。そうすることにより、各副画素電極の補助容量が増大し、副画素の電位の安定化をより図ることができる。
【００９６】
図４に示すように、本実施の形態における液晶表示装置では、２つの補助容量バスラインＣｓＸＨ１Ｂ１（第２の分岐ライン部分）及びＣｓＸＬ２Ｂ１（第２の分岐ライン部分）が新たに追加されている。
【００９７】
このため、副画素ＳＰ２１の補助容量２７が、上記の実施の形態１に対して、副画素電極２３と補助容量バスラインＣｓＸＨ１Ｂ１との間に新たに形成されている。
【００９８】
また、副画素ＳＰ２２の補助容量２８が、上記の実施の形態１に対して、副画素電極２６と補助容量バスラインＣｓＸＬ２Ｂ１との間で形成されている。
【００９９】
（実施の形態３）
次に、本発明の実施の形態３について説明する。
【０１００】
図５は、本発明の実施の形態３における液晶表示装置のアクティブエリア上に配置された複数の画素の配置構成を示す回路図である。
【０１０１】
本発明の実施の形態３における液晶表示装置では、補助容量バスラインが、矩形形状を持つ各副画素電極を囲むように、各副画素電極の３つの辺（第１辺、第２辺、第３辺）に近接して配置されている。そうすることにより、各副画素電極の補助容量がより増大し、副画素の電位をより安定化させることができる。
【０１０２】
図５に示すように、本実施の形態における液晶表示装置では、２つの補助容量バスラインＣｓＸＨ１Ｂ２（第３の分岐ライン部分）及びＣｓＸＬ２Ｂ２（第３の分岐ライン部分）が新たに追加されている。
【０１０３】
このため、副画素ＳＰ２１の補助容量２９が、上記の実施の形態２に対して、副画素電極２３と補助容量バスラインＣｓＸＨ１Ｂ２との間に新たに形成されている。
【０１０４】
また、副画素ＳＰ２２の補助容量３０が、上記の実施の形態２に対して、副画素電極２６と補助容量バスラインＣｓＸＬ２Ｂ２との間で形成されている。
【０１０５】
（実施の形態４）
次に、本発明の実施の形態４について説明する。
【０１０６】
図６は、本発明の実施の形態４における液晶表示装置のアクティブエリア上に配置された複数の画素の配置構成を示す回路図である。
【０１０７】
上記の実施の形態１〜３では、各画素を構成する２つの副画素の各副画素電極は、同一のソースバスラインを挟むようにして対向する配置であった。
【０１０８】
これに対し、本発明の実施の形態４における液晶表示装置では、各画素を構成する２つの副画素の各副画素電極が２つのソースバスライン挟まれるように配置されている。
【０１０９】
図６に示すように、画素Ｐ２は、副画素ＳＰ２１及び副画素ＳＰ２２から構成されている。そして、副画素ＳＰ２１は、ＴＦＴ２１ａと、補助容量２２ａと、副画素電極２３ａと、を有している。同様に、副画素ＳＰ２２は、ＴＦＴ２４ａと、補助容量２５ａと、副画素電極２６ａと、を有している。
【０１１０】
副画素ＳＰ２１のＴＦＴ２１ａのゲ−ト電極は、ゲートバスラインＧ３に接続されており、そのソース電極は、ソースバスラインＳ１に接続されている。同様に、副画素ＳＰ２２のＴＦＴ２４ａのゲ−ト電極は、ゲートバスラインＧ３に接続されており、そのソース電極は、ソースバスラインＳ１に接続されている。
【０１１１】
副画素ＳＰ２１の補助容量２２ａは、副画素電極２３ａと補助容量バスラインＣｓＸＨ１との間で形成されている。副画素ＳＰ２２の補助容量２５ａは、副画素電極２６ａと補助容量バスラインＣｓＸＬ２との間で形成されている。
【０１１２】
そして、副画素ＳＰ２１は、補助容量バスラインＣｓＸＨ１に近接して配置されている。副画素ＳＰ２２は、補助容量バスラインＣｓＸＬ２に近接して配置されている。
【０１１３】
本実施の形態においては、画素Ｐ２が持つ１つの矩形の画素領域を、長辺の各辺（左右）を支配的に占有する２つの副画素ＳＰ２１及びＳＰ２２で分離している。各副画素ＳＰ２１及びＳＰ２２は同じゲートバスラインＧ３及びソースバスラインＳ１によって駆動される２つのＴＦＴ２１ａ及び２４ａに接続される。なお、これら２つのＴＦＴ２１ａ及び２４ａのサイズは異なっても良い。
【０１１４】
２つの補助容量バスラインＣｓＸＨ１及び補助容量バスラインＣｓＸＬ２は、それぞれ一方の副画素ＳＰ２１及びＳＰ２２との間に補助容量を形成している。
【０１１５】
なお、図６の副画素電極２３ａ及び副画素電極２６ａは、例えば、図７に示す形状を持つ副画素電極２３ｂ及び副画素電極２６ｂで置き換えても良い。
【０１１６】
（実施の形態５）
次に、本発明の実施の形態５について説明する。
【０１１７】
図８は、本発明の実施の形態５における液晶表示装置のアクティブエリア上に配置された複数の画素の配置構成を示す回路図である。
【０１１８】
図８に示すように、本実施の形態における液晶表示装置では、各副画素の補助容量を形成するため、補助容量バスラインＣｓＸＨ１１、ＣｓＸＨ１２、ＣｓＸＬ１１、ＣｓＸＨ２１、ＣｓＸＬ２１、ＣｓＸＬ２２、ＣｓＸＨ３１、ＣｓＸＨ３２、ＣｓＸＬ３１、ＣｓＸＨ４１、ＣｓＸＬ４１、ＣｓＸＬ４２が配置されている。
【０１１９】
上記の実施の形態１〜４における液晶表示装置は、パソコン等のディスプレイに用いられるストライプ配列を採用するものであった。
【０１２０】
これに対し、本実施の形態における液晶表示装置は、映像表示用に用いられるデルタ配列を採用するものである。
【０１２１】
デルタ配列は、ゲートバスライン（走査線）毎に１／２ピッチ毎画素をずらした配列である。そして、画素及び補助容量バスライン等の配置は、上記のピッチをずらしたこと以外は、基本的にストライプ配列と同じとなる。
【０１２２】
一般に、デルタ配列では、ソースバスラインが画素電極のエッジに沿って延在、伸長するため、配線長がストライプ配列に対して長くなってしまう欠点がある。
【０１２３】
しかし、本実施の形態では、ソースバスラインを挟んで２つの副画素を有する構造をとっているため、データ配線を蛇行させる必要が無く、効率的なレイアウトができる利点がある。
【０１２４】
また、デルタ配列は、一般的には、ストライプ配列と比較して大きな開口率を得ることができ、映像表示用には非常に有利である。
【０１２５】
なお、上記の実施の形態１〜５においては、補助容量バスラインの接続を以下のように行なうこともできる。
【０１２６】
すなわち、ＴＦＴ基板にある補助容量バスラインの一部（例えば、先端部）に、コンタクトホールを設け、導電性を有する柱スペーサー（PS）を設けることによって、対向基板との間に導通を取れるようにする。
【０１２７】
このとき、
（１）対向基板の透明電極に切り欠きを設け、上記の接続部分が独立するようにする。
【０１２８】
（２）補助容量バスライン間の導通をとるための配線を、対向基板の透明電極上に追加の絶縁膜を設けた上で形成し、上記接続のための柱スペーサ間の導通を取れるようにする。
【０１２９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３０】
本発明におけるＴＦＴ基板は、第１の副画素及び当該第１の副画素に隣接する第２の副画素からなる、複数の画素がマトリクス状に配列されたアクティブマトリクス型のＴＦＴ基板であって、前記第１の副画素及び前記第２の副画素が隣接する隣接方向に沿って延在する第１及び第２のゲートバスラインと、前記第１及び第２のゲートバスラインと同一の配線層から構成され、且つ、前記隣接方向に沿って延在する第１及び第２の補助容量バスラインと、前記第１及び第２のゲートバスラインと同一の配線層から構成され、且つ、前記第１の副画素に近接し、前記第１の副画素の副画素電極との間において前記第１の副画素の補助容量を形成する第３の補助容量バスラインと、前記第１及び第２のゲートバスラインと同一の配線層から構成され、且つ、前記第２の副画素に近接し、前記第２の副画素の副画素電極との間において前記第２の副画素の補助容量を形成する第４の補助容量バスラインとを備え、前記第１の補助容量バスラインと前記第１の副画素は、前記第１のゲートバスラインを挟むようにして配置され、前記第２の補助容量バスラインと前記第２の副画素は、前記第２のゲートバスラインを挟むようにして配置されており、前記第１の補助容量バスラインと前記第２の補助容量バスラインとは、互いに異なる電圧が印加されており、前記第１の補助容量バスラインと前記第３の補助容量バスラインとの間を接続する、前記第１及び第２のゲートバスラインとは異なる配線層から構成された第１の接続配線部と、前記第２の補助容量バスラインと前記第４の補助容量バスラインとの間を接続する、前記第１及び第２のゲートバスラインとは異なる配線層から構成された第２の接続配線部とをさらに備えている。
【０１３１】
上記のＴＦＴ基板では、第１の副画素は、自身に近接する第３の補助容量バスラインとの間において補助容量を形成する。そして、第３の補助容量バスラインは、第１及び第２のゲートバスラインとは異なる配線層から構成された第１の接続配線部を介して、第１の補助容量バスラインと接続されている。
【０１３２】
また、第２の副画素は、自身に近接する第４の補助容量バスラインとの間において補助容量を形成する。そして、第４の補助容量バスラインは、第１及び第２のゲートバスラインとは異なる配線層から構成された第２の接続配線部を介して、第２の補助容量バスラインと接続されている。
【０１３３】
このため、第１の補助容量バスライン及び第３の補助容量バスラインをＴＦＴ基板上に網目状に形成することができる。また、第２の補助容量バスライン及び第４の補助容量バスラインをＴＦＴ基板上に網目状に形成することができる。
【０１３４】
したがって、第１の補助容量バスライン及び第３の補助容量バスラインを用いて同一の補助容量電圧をＴＦＴ基板上の各画素に均一に供給することができ、また、第２の補助容量バスライン及び第４の補助容量バスラインを用いて、第１の補助容量バスラインに印加される補助容量電圧とは異なる同一の補助容量電圧をＴＦＴ基板上の各画素に均一に供給することができる。そうすることにより、２つの異なる電圧を用いるマルチ画像駆動における各画素の画素電位を精度良く保持することができる。
【０１３５】
前記第１の接続配線部は、前記第１の副画素の副画素電極と同一の配線層から構成され、前記第２の接続配線部は、前記第２の副画素の副画素電極と同一の配線層から構成されていることが好ましい。
【０１３６】
この場合、ＴＦＴ基板を構成する配線構造を簡略化することができるので、ＴＦＴ基板の製造コストを低減することができる。
【０１３７】
矩形形状を持つ前記第１の副画素は、前記第３の補助容量バスラインに沿っている、第１辺及び当該第１辺の反対側に位置する第２辺を有し、前記第３の補助容量バスラインは、前記第１の副画素の第１辺に近接する第１の分岐ライン部分と、前記第１の副画素の第２辺に近接する第２の分岐ライン部分と、を含んでいることが好ましい。
【０１３８】
この場合、２つの補助容量、すなわち、第１の分岐ライン部分を用いた補助容量と第２の分岐ライン部分を用いた補助容量とを各副画素に形成することができるので、これら副画素からなる各画素の画素電位をより精度良く保持することができる。
【０１３９】
前記第１の副画素は、前記第１辺と前記第２辺と間に配置された前記第１のゲートバスライン側の第３辺をさらに有し、前記第３の補助容量バスラインは、前記第１の副画素の第３辺に近接する第３の分岐ライン部分をさらに含んでいることが好ましい。
【０１４０】
この場合、３つの補助容量、すなわち、第１の分岐ライン部分を用いた補助容量、第２の分岐ライン部分を用いた補助容量及び、第３の分岐ライン部分を用いた補助容量を各副画素に形成することができるので、これら副画素からなる各画素の画素電位をより精度良く保持することができる。
【０１４１】
前記第１及び第２のゲートバスラインと交差するソースバスラインをさらに備え、前記第１の副画素及び前記第２の副画素は、前記ソースバスラインを挟むようにして対向するように配置されていることが好ましい。
【０１４２】
この場合、第１及び第２の副画素を、ソースバスラインを挟むようにして対向するように、すなわち、ソースバスラインを挟んで略点対称となるように配置することができる。また、第１及び第２の副画素からなる、２つの画素同士を、第３または第４の補助容量バスラインを挟むようにして対向するように配置することができる。このため、複数の画素を効率的に配列し、複数の画素が占める面積を低減することができる。
【０１４３】
前記第１の接続配線部は、前記第１の副画素の副画素電極と同一の配線層及び前記ソースバスラインと同一の配線層から構成され、前記第２の接続配線部は、前記第２の副画素の副画素電極と同一の配線層及び前記ソースバスラインと同一の配線層から構成されていることが好ましい。
【０１４４】
この場合、ＴＦＴ基板を構成する配線構造を簡略化することができるので、ＴＦＴ基板の製造コストを低減することができる。
【０１４５】
前記第１及び第２のゲートバスラインと交差する２つのソースバスラインをさらに備え、前記第１の副画素及び前記第２の副画素は、隣接する前記２つのソースバスライン間に配置され、且つ、隣接する前記２つのソースバスラインのいずれか一方と接続されていることが好ましい。
【０１４６】
この場合、ＴＦＴ基板を構成する配線構造を簡略化することができるので、ＴＦＴ基板の製造コストを低減することができる。
【０１４７】
前記複数の画素の配列は、ストライプ配列であることが好ましい。
【０１４８】
この場合、複数の画素を用いて表示される文字の視認性を高くすることができる。
【０１４９】
前記複数の画素の配列は、デルタ配列であることが好ましい。
【０１５０】
この場合、各画素の開口率（光透過率、有効利用率）を向上させることができる。
【０１５１】
本発明における液晶表示装置は、上記のＴＦＴ基板と、前記ＴＦＴ基板を用いて画像を表示するための画像表示処理を制御するための制御回路とを備えている。
【０１５２】
上記の液晶表示装置では、第１の副画素は、自身に近接する第２の補助容量バスライとの間において補助容量を形成する。そして、第２の補助容量バスラインは、ゲートバスラインとは異なる配線層から構成された接続配線部を介して、第１の補助容量バスラインと接続されている。
【０１５３】
このため、第１の補助容量バスライン及び第２の補助容量バスラインをＴＦＴ基板上に網目状に形成することができる。したがって、これら第１の補助容量バスライン及び第２の補助容量バスラインを用いて同一の補助容量電圧をＴＦＴ基板上の各画素に均一に供給することができるので、各画素の画素電位を精度良く保持することができる。
【産業上の利用可能性】
【０１５４】
本発明は、例えばパーソナルコンピュータのモニターやテレビジョン受像機など、各種の表示装置に適用できる。
【符号の説明】
【０１５５】
１    液晶表示装置
２    表示部（ＴＦＴ基板）
３    ソースドライバ
４    ゲートドライバ
５    表示制御回路
６、７    Ｃｓ制御回路
１１、１４、２１、２１ａ、２４、２４ａ、５１、６１    ＴＦＴ（薄膜トランジスタ）
１２、１５、２２、２２ａ、２５、２５ａ、２７、２８、２９、３０、５２、６２    補助容量
１３、１６、２３、２３ａ、２３ｂ、２６、２６ａ、２６ｂ、５３、６３    副画素電極
１０１    基板
１０２    層間絶縁膜
１０３    保護膜
１０４    配線層（第１の接続配線部、第２の接続配線部）
ＣｓＹＨ１、ＣｓＹＨ２、ＣｓＹＨ３    補助容量バスライン（第１の補助容量バスライン）
ＣｓＹＬ１、ＣｓＹＬ２、ＣｓＹＬ３    補助容量バスライン（第２の補助容量バスライン）
ＣｓＸＨ１、ＣｓＸＨ２    補助容量バスライン（第３の補助容量バスライン）
ＣｓＸＬ１、ＣｓＸＬ２    補助容量バスライン（第４の補助容量バスライン）
Ｓ１    ソースバスライン
【図１】
2010109558.tif 000003
【図２】
2010109558.tif 000004
【図３】
2010109558.tif 000005
【図４】
2010109558.tif 000006
【図５】
2010109558.tif 000007
【図６】
2010109558.tif 000008
【図７】
2010109558.tif 000009
【図８】
2010109558.tif 000010
【図９】
2010109558.tif 000011
【図１０】
2010109558.tif 000012
【国際調査報告】
2010109558.tif 000013
2010109558.tif 000014